(57)【要約】      （修正有）【課題】  マスコットの内部に袋を収納することができると共に、その袋とマスコットとを紐状体で連結して、使い勝手のよいものとすること。【解決手段】  紐状体６の一端側をマスコット３の挿通孔に挿通すると共に、その紐状体６の他端側を袋４に係止し、袋４をマスコット３の開口２から中空内に挿脱自在に挿入できるようにする。【選択図】        図４
2007105272.tif 000002
【特許請求の範囲】
【請求項１】
内部に袋挿入用の中空(1)が形成されると共に、その中空(1)に通じる開口(2)が外周の一部に設けられたマスコット(3)と、
前記中空(1)に前記開口(2)から挿脱自在に挿入され、前記マスコット(3)とは独立に分離した袋(4)と、
前記マスコット(3)の外周に設けられ前記中空(1)に通ずる挿通孔(5)と、
前記中空(1)から前記挿通孔(5)を通して一端側がマスコット(3)の外部に導かれ、その挿通孔(5)内を移動自在に挿通される紐または鎖、線材等の細長い可撓性の紐状体(6)と、を具備し、
その紐状体(6)の他端側と前記袋(4)とが係止されて、互いに分離できないように構成されたマスコット袋。
【請求項２】
請求項 １において、
前記紐状体(6)と前記挿通孔(5)との間に抜け止め手段(6a)が設けられ、紐状体(6)がマスコット(3)の挿通孔(5)から抜け出ないように構成されたマスコット袋。
【請求項３】
請求項２において、
前記抜け止め手段(6a)が、紐状体(6)の端の外周を挿通孔(5)の孔径より大としたマスコット袋。
【請求項４】
請求項２において、
前記抜け止め手段(6a)は、前記紐状体(6)が環状に形成され、前記マスコット(3)の外周に二つの前記挿通孔(5)が設けられ、その環状の紐状体(6)が前記二つの挿通孔(5)にエンドレスに挿通されたマスコット袋。
【請求項５】
請求項１〜請求項４のいずれかにおいて、
前記袋(4)の開口の紐挿通部(4a)に前記紐状体(6)が挿通されて巾着型袋を構成し、その紐状体(6)が前記中空(1)から前記挿通孔(5)を通してマスコット(3)の外部に導かれたマスコット袋。
【請求項６】
請求項５において、
前記紐状体(6)を絞って前記巾着型袋の開口が閉塞状態にされたとき、その閉塞部近傍のみが前記マスコット(3)の前記中空(1)内に出入自在に収まるように構成されたマスコット袋。
【請求項７】
請求項６において、
前記抜け止め手段(6a)は、前記紐状体(6)が環状に形成され、前記マスコット(3)の外周に互いに離間して二つの前記挿通孔(5)が設けられ、その環状の紐状体(6)が二つの挿通孔(5)にエンドレスに挿通され、前記マスコット(3)と前記袋(4)とにまたがり一体性のある意匠が施されたマスコット袋。
【請求項８】
請求項１において、
前記袋(4)が取手(4b)を有するものからなり、その取手(4b)に前記紐状体(6)が係止されたマスコット袋。
【請求項９】
請求項１〜請求項８のいずれかにおいて、
前記マスコット(3)はその外周が、動植物等の自然物や商品の形態、建築物等の人工的な意匠の外形を模したもの、あるいは球形、多角形等の幾何学体に形成されたマスコット袋。
【発明の詳細な説明】
【技術分野】
【０００１】
本発明は外形が動物等を模したマスコット内に袋を挿脱自在に挿入することができるマスコット袋に関する。
【背景技術】
【０００２】
動物の外形を模したぬいぐるみの一部に開口を設け、そこにぬいぐるみと一体にした袋を挿脱自在に挿入したものが下記特許文献に知られている。そして袋を使用しない時はその袋をぬいぐるみの開口に折りたたんで挿入し、ぬいぐるみおもちゃとして使用する。また、必要時には内部の袋を取り出し、そこに物品を収納することができるものである。
【特許文献１】実用新案登録第３００６００８号公報
【発明の開示】
【発明が解決しようとする課題】
【０００３】
上記のぬいぐるみおもちゃは、ぬいぐるみと袋とが一体に取り付けられ、両者が分離できないように形成されているので、袋の使用時にぬいぐるみが邪魔になり、その開口を開けて袋内部に物品を収納することが面倒である欠点があった。即ち通常の袋の使い勝手をそのまま利用することができないものであった。
そこで本発明は、袋の使用時にその使い勝手がよいと共に、マスコットと袋とが不用意に分離しないようにしたマスコット袋を提供することを課題とする。
【課題を解決するための手段】
【０００４】
請求項１に記載の本発明は、内部に袋挿入用の中空(1)が形成されると共に、その中空(1)に通じる開口(2)が外周の一部に設けられたマスコット(3)と、
前記中空(1)に前記開口(2)から挿脱自在に挿入され、前記マスコット(3)とは独立に分離した袋(4)と、
前記マスコット(3)の外周に設けられ前記中空(1)に通ずる挿通孔(5)と、
前記中空(1)から前記挿通孔(5)を通して一端側がマスコット(3)の外部に導かれ、その挿通孔(5)内を移動自在に挿通される紐または鎖、線材等の細長い可撓性の紐状体(6)と、を具備し、
その紐状体(6)の他端側と前記袋(4)とが係止されて、互いに分離できないように構成されたマスコット袋である。
【０００５】
請求項２に記載の本発明は、請求項 1において、
前記紐状体(6)と前記挿通孔(5)との間に抜け止め手段(6a)が設けられ、紐状体(6)がマスコット(3)の挿通孔(5)から抜け出ないように構成されたマスコット袋である。
請求項３に記載の本発明は、請求項２において、
前記抜け止め手段(6a)が、紐状体(6)の端の外周を挿通孔(5)の孔径より大としたマスコット袋である。
請求項４に記載の本発明は、請求項２において、
前記抜け止め手段(6a)は、前記紐状体(6)が環状に形成され、前記マスコット(3)の外周に二つの前記挿通孔(5)が設けられ、その環状の紐状体(6)が前記二つの挿通孔(5)にエンドレスに挿通されたマスコット袋である。
【０００６】
請求項５に記載の本発明は、請求項１〜請求項４のいずれかにおいて、
前記袋(4)の開口の紐挿通部(4a)に前記紐状体(6)が挿通されて巾着型袋を構成し、その紐状体(6)が前記中空(1)から前記挿通孔(5)を通してマスコット(3)の外部に導かれたマスコット袋である。
請求項６に記載の本発明は、請求項５において、
前記紐状体(6)を絞って前記巾着型袋の開口が閉塞状態にされたとき、その閉塞部近傍のみが前記マスコット(3)の前記中空(1)内に出入自在に収まるように構成されたマスコット袋である。
【０００７】
請求項７に記載の本発明は、請求項６において、
前記抜け止め手段(6a)は、前記紐状体(6)が環状に形成され、前記マスコット(3)の外周に互いに離間して二つの前記挿通孔(5)が設けられ、その環状の紐状体(6)が二つの挿通孔(5)にエンドレスに挿通され、前記マスコット(3)と前記袋(4)とにまたがり一体性のある意匠が施されたマスコット袋である。
請求項８に記載の本発明は、請求項１において、
前記袋(4)が取手(4b)を有するものからなり、その取手(4b)に前記紐状体(6)が係止されたマスコット袋である。
請求項９に記載の本発明は、請求項１〜請求項８のいずれかにおいて、
前記マスコット(3)はその外周が、動植物等の自然物や商品の形態、建築物等の人工的な意匠の外形を模したもの、あるいは球形、多角形等の幾何学体に形成されたマスコット袋である。
【発明の効果】
【０００８】
本発明のマスコット袋は、マスコット３の開口２からその内部の中空１に独立した袋４が挿脱自在に挿入され、その袋４に係止された紐状体６がマスコット３の中空１から挿通孔５を通して外部に導かれるように構成したから、搬送時にはコンパクトに袋４をマスコット３内に収納して持ち歩くことができる。それと共に、袋４の使用時にはマスコット３から分離して袋４を開放し内部に物を収納することが容易となる。その際、紐状体６をマスコット３と挿通孔５に挿通したままにすることができ、両者が分離することなく、取り扱いやすいものとなる。
上記構成において、紐状体６とマスコット３の挿通孔５との間に抜け止め手段6aを設けた場合には、袋４使用時に不用意に紐状体６がマスコット３から分離することを防止し、より取り扱い性のよいものとなる。
【０００９】
上記構成において、紐状体６の端の外周を挿通孔５の口径より大とずる抜け止め手段6aとしたものにおいては、構造が簡単で、マスコット３と袋４とが分離することを効果的に防止できる。
上記構成において、マスコット３の外周に二つの挿通孔５を設け、そこに環状の紐状体６をエンドレスに形成してものにおいては、マスコット３と袋４との分離を確実に防止できる。
上記いずれかの構成において、袋４を巾着型のものとし、その開口を閉塞する紐状体６をマスコット３の挿通孔５に挿通したものにおいては、紐状体６が袋４の開閉手段を兼用し、より取り扱いやすいコンパクトなマスコット袋となりうる。
上記構成において、紐状体６を絞って巾着型袋の開口を閉塞状態にしたとき、その閉塞部近傍のみがマスコット３の中空１内に出入自在に収まるように構成したものにおいては、袋４内に物を収納した状態で袋４の開口をマスコット３によって閉塞することができ体裁のよいものとなる。
【００１０】
上記構成において、マスコット３の外周に二つの挿通孔５を設け、紐状体６がその二つの挿通孔５にエンドレスに挿通され、マスコット３と袋４とにまたがり一体性のある意匠が施された巾着型の袋においては、袋内に物を収納し、開口を絞ってマスコット３内にその開口部を挿通したとき、マスコット３と袋４との意匠の整合性を確保できる。
上記構成において、袋４が取手4bを有し、その取手4bに紐状体６が係止されたものにおいては、袋４を使用するときには、その取手4bにマスコット３がぶら下がることになり、使用状態において面白みのあるマスコット袋となる。
上記いずれかの構成において、マスコット３としてその外周を、動植物等の自然物や商品の形態、建築物等の人工的な意匠の外形を模したもの、あるいは球形または多角形の幾何学的に形成されたものとした場合には、内部に袋４を挿入した状態で、体裁の良いものとなりうる。
【発明を実施するための最良の形態】
【００１１】
次に、図面に基づいて本発明の各実施の形態につき説明する。図１〜図５は本発明の第１の実施の形態を示すマスコット袋であり、図１はそのマスコット３内に袋を収納した状態を示し、図２は同底面図、図３は図１のIII−III矢視断面図、図４はそのマスコット３から袋４を取り出した状態を示す説明図、図５は図４の開口を絞ってその上端部をマスコット３に収納したものである。図５（Ｂ）はペットボトルホルダとした袋４にペットボトル７を収納した状態を示す。
【００１２】
このマスコット袋は図３〜図５に示すごとく、マスコット３と袋４と、その両者を連結する紐状体６とを有する。この例では袋４は巾着型の袋であり、その開口に紐挿通部4aが図４の如く形成される。その紐挿通部4aに環状の紐状体６が挿通されている。そして、その紐状体６の端部側がマスコット３の口縁2aから開口２を通し、図３の如く、その挿通孔５に挿通され、外部に導かれる。そして紐状体６の一端には図１に示す如く結び付目が設けられ、それにより抜け止め手段6aを形成する。この抜け止め手段6aである結び目の外径は挿通孔５の内径よりも大である。
この例ではマスコット３として動物を模した外形を有し、一例として亀を模したものである。これに代えて、図７の如く熊や図８の如くイルカとすることができる。更にはマスコット３の外形は植物の花や葉っぱ等の自然物であっても、あるいは瓶ややかん等の商品形態であっても、更には著名な建築物や車等の人工的な意匠の外形を模したものでもよい。更にはマスコット３を球形または多角形の幾何学的形態とすることもできる。
【００１３】
この例ではマスコット３は、その腹部に開閉することができる口縁2aが図２、図３の如く形成されている。即ち口縁2aを押し広げて袋４を挿脱することができる。なお、これに変えて、図１１の如くマスコット３の腹部にスカート状の蓋をし、その裾をゴム等により開閉自在に絞る構造とすることもできる。また挿通孔５にはこの例では一つのハトメが設けられている。これに代えて、図６の如く二つのハトメを互いに離間してマスコット３外周に設けてもよい。マスコット３は布材やプラスチック材、金属材、その他適宜なものが使用できる。
(使用方法)
【００１４】
マスコット３の内部に袋４を収納するには、図３に示す如く、袋４を折りたたんで口縁2aからマスコット３の開口２内に収納する。そして、図１の状態にして持ち歩くことができる。次に、マスコット３内の袋４を使用するには、図４に示す如く、マスコット３の開口２から袋４を引き出し、次いで袋４内に物を収納し、図５の如くその開口部絞ってその開口部周辺のみをマスコット３内に収納することができる。このとき、紐状体６は持ち手となる。袋４内にペットボトルホルダを収納する場合には、そのキャップ部および上端部をマスコット３内に図５（Ｂ）の如く挿入することができる。
【００１５】
次に、図７は本発明の他の実施の形態を示し、この例では、（Ｄ）の如くマスコット３に二つの挿通孔５が挿通され、紐状体６がそれらにエンドレスに挿通され、且つ、それが袋４の孔縁部に設けられた紐挿通部4aに挿通されている。そしてマスコット３と袋４とは一体として意匠が形成される。つまりマスコット３に動物の頭部が形成され、袋４にその首から下の意匠が施されている。そして、紐状体６が紐挿通部4aから引き出される位置およびマスコット３の挿通孔５の相対関係が一定されているため、図７（Ｃ）の如く、袋に物を収納状態で、その上部をマスコット３に挿入すると、マスコット３の頭部意匠と袋４の胴部意匠とがつながって一体化し、全体としてまとまりのあるデザインとなる。この例では、袋４の下端につまみ８が設けられ、図７（Ａ）の如くマスコット３内に袋４が収納されたとき、そのつまみ８が外部に露出する。そしてつまみ８を引っ張り出すことにより袋４の内部に物を収納することができる。
【００１６】
図８〜図１０は本発明の更に他の例であり、マスコット３に一対の挿通孔５形成されている。そして、袋４として図１０に示す如く、手提げ袋が用いられている。そして袋４の取手4bに紐状体６が係止されている。この紐状体６は環状に形成され、その一端側が取手4bに係止されると共に、他端側が図１０（Ｂ）の如く一対の挿通孔５にエンドレスに挿通されている。袋４をマスコット３に収納するには、図８の如く、取手ごと袋４を折り畳めばよい。袋４を使用するには図９の如くマスコット３から袋４を引き出し、次いで図１０の如く袋４を広げる。このとき紐状体６は取手4bに保持されている。それ故、マスコット３と袋４とが分離することがない。この状態で袋４内に物を収納することができる。
【図面の簡単な説明】
【００１７】
【図１】本発明の第１のマスコット袋であって、マスコット３内部に袋を収納した状態の斜視図。
【図２】同底面図。
【図３】図１のIII−III矢視断面図。
【図４】同袋４をマスコット３から引き出した状態を示す説明図。
【図５】同袋４の頭部を絞ってそれをマスコット３内部に収納した状態を示す説明図、及び同袋４をペットボトルホルダ型とした説明図。
【図６】図３における他の例を示す断面図。
【００１８】
【図７】本発明の他の例であって、（Ａ）はそのマスコット３に袋４を収納した正面図、（Ｂ）は底面図、（Ｃ）はマスコット３から袋４を引き出し、その上端をマスコット３に収納した状態を示す正面図、（Ｄ）は袋４をマスコット３から引き出した状態を示す背面側斜視図。
【図８】本発明の更に他の例を示し、袋４をマスコット３内に収納した状態を示す斜視図。
【図９】同マスコット３から袋４を引き出そうとする状態を示す説明図。
【図１０】同袋４を引き出して広げた状態を示すもの、およびＢ部拡大図。
【図１１】図２における口縁2aの他の例を示す底面図。
【符号の説明】
【００１９】
１  中空
２  開口
2a  口縁
３  マスコット
４  袋
4a  紐挿通部
4b  取手
５  挿通孔
６  紐状体
6a  抜け止め手段
７  ペットボトル
８  つまみ
【図１】
2007105272.tif 000003
【図２】
2007105272.tif 000004
【図３】
2007105272.tif 000005
【図４】
2007105272.tif 000006
【図５】
2007105272.tif 000007
【図６】
2007105272.tif 000008
【図７】
2007105272.tif 000009
【図８】
2007105272.tif 000010
【図９】
2007105272.tif 000011
【図１０】
2007105272.tif 000012
【図１１】
2007105272.tif 000013